(57)【特許請求の範囲】
【請求項１】
電子機器を収納する収納容器と、
前記収納容器から略平行に延びて並設される係止棒部及びネジ棒部と、
前記係止棒部及び前記ネジ棒部の並設方向に交差する方向の一端に開放端を有して前記係止棒部が挿通される第１挿通孔及び前記ネジ棒部が挿通される第２挿通孔を有し、前記係止棒部と前記ネジ棒部とを橋架する押さえ部材と、
前記ネジ棒部に螺合するナット部材と、
を備える電子機器ケースにおいて、
前記押さえ部材は、前記第２挿通孔と対向して前記ネジ棒部が挿通される第３挿通孔を有した連結片を有し、
前記係止棒部が、外面から外方に突出して延伸方向に複数配列されてた突出部を有し、
前記押え部材は、前記第２挿通孔及び前記第３挿通孔に挿通された前記ネジ棒部を軸にして回転し、前記開放端から前記第１挿通孔に前記係止棒部を挿通したときに、前記第１挿通孔の周縁が突出部に接触して係止され、
前記第１挿通孔の前記開放端上で前記第２挿通孔から遠い壁面が、前記開放端から離れるに従って前記第２挿通孔側に傾斜する傾斜部を有し、
前記開放端から前記第１挿通孔内に前記係止棒部を押し込む際に、前記傾斜部に沿って前記係止棒部が前記第２挿通孔に近づく方向に撓むことを特徴とする電子機器ケース。
【請求項２】
前記第１挿通孔は、前記傾斜部上において、前記第２挿通孔から離れる方向に凹み、前記係止棒部が嵌合する嵌合部を有することを特徴とする請求項１に記載の電子機器ケース。
【請求項３】
前記押さえ部材が、前記並設方向に直交する断面形状においてコ字状に形成され、前記第１挿通孔及び前記第２挿通孔が配置される中壁部と、前記中壁部の上端に連結される上壁部と、前記中壁部の下端に連結される下壁部と、を有し、
前記連結片は、前記上壁部又は前記下壁部の端縁に連結されることを特徴とする請求項１又は請求項２に記載の電子機器ケース。
【請求項４】
前記上壁部の前記収納容器側の端縁から前記中壁部側に凹む上壁凹部を有することを特徴とする請求項３に記載の電子機器ケース。
【発明の詳細な説明】
【技術分野】
【０００１】
本発明は電子機器を収納してマストに固定可能な電子機器ケースに関する。
【背景技術】
【０００２】
従来の電子機器ケースは特許文献１に開示される。この電子機器ケースは、収納容器と、一対のネジ棒部と、押さえ部材と、ナット部材と、を有する。収納容器は電子機器を収納する。ネジ棒部は収納容器から略平行に延びる。押さえ部材は各ネジ棒部を挿通する挿通孔が２箇所設けられている。ナット部材は、各ネジ棒部にそれぞれ螺合して押さえ部材を係止する。
【０００３】
一対の係止棒の間に円柱状のマストを挟んで、ナット部材を締め付ける。これにより、電子機器ケースをマストに挟持固定できる。
【先行技術文献】
【特許文献】
【０００４】
【特許文献１】特開２００４−１１９４０４号公報（第１頁〜第３頁、第５図）
【発明の概要】
【発明が解決しようとする課題】
【０００５】
しかしながら、上記従来の電子機器ケースによると、ナット部材で２箇所締め付けるため、取付け時の作業効率が低い問題があった。
【０００６】
本発明は、取付け時の作業効率を向上できる電子機器ケースを提供することを目的とする。
【課題を解決するための手段】
【０００７】
上記目的を達成するために本発明の電子機器ケースは、電子機器を収納する収納容器と、前記収納容器から略平行に延びて並設される係止棒部及びネジ棒部と、前記係止棒部及び前記ネジ棒部の並設方向に交差する方向の一端に開放端を有して前記係止棒部が挿通される第１挿通孔及び前記ネジ棒部が挿通される第２挿通孔を有し、前記係止棒部と前記ネジ棒部とを橋架する押さえ部材と、前記ネジ棒部に螺合するナット部材と、を備える電子機器ケースにおいて、前記押さえ部材は、前記第２挿通孔と対向して前記ネジ棒部が挿通される第３挿通孔を有した連結片を有し、前記係止棒部が、外面から外方に突出して延伸方向に複数配列された突出部を有することを特徴としている。
【０００８】
また本発明は、上記構成の電子機器ケースにおいて、前記第１挿通孔の前記開放端上で前記第２挿通孔から遠い壁面が、前記開放端から離れるに従って前記第２挿通孔側に傾斜する傾斜部を有することを特徴としている。
【０００９】
また本発明は、上記構成の電子機器ケースにおいて、前記第１挿通孔は、前記傾斜部上において、前記第２挿通孔から離れる方向に凹み、前記係止棒部が嵌合する嵌合部を有することを特徴としている。
【００１０】
また本発明は、上記構成の電子機器ケースにおいて、前記押さえ部材が、前記並設方向に直交する断面形状においてコ字状に形成され、前記第１挿通孔及び前記第２挿通孔が配置される中壁部と、前記中壁部の上端に連結される上壁部と、前記中壁部の下端に連結される下壁部と、を有し、前記連結片は、前記上壁部又は前記下壁部の端縁に連結されることを特徴としている。
【００１１】
また本発明は、上記構成の電子機器ケースにおいて、前記上壁部及び前記下壁部の端縁から前記中壁部側に凹む凹部を有することを特徴としている。
【発明の効果】
【００１２】
本発明によると、押え部材の第１挿通孔が、一端を開放され、第２挿通孔及び第３挿通孔が、対向配置される。このため、押え部材は、第２挿通孔及び第３挿通孔に挿通されたネジ棒部を軸にして回転し、開放端から第１挿通孔に係止棒部を挿通して突出部により係止される。
【００１３】
これにより、一箇所のネジ棒部にナット部材を締め付けて収納容器と押さえ部材との間にマストを挟持固定することができる。また、押え部材の回転時に第２挿通孔及び第３挿通孔の２箇所が、ネジ棒部に接触するため、第１挿通孔側が、係止棒部の延伸方向にガタつくことを低減できる。従って、電子機器ケースの取付け時の作業効率を向上することができる。
【図面の簡単な説明】
【００１４】
【図１】本発明の一実施の形態である電子機器ケースを正面側から示す斜視図である。
【図２】本発明の一実施の形態である電子機器ケースを後面側から示す斜視図である。
【図３】本発明の一実施の形態である電子機器ケースを固定する手順を説明する説明図である。
【図４】本発明の一実施の形態である電子機器ケースの押さえ部材を後面側から示す斜視図である。
【図５】本発明の一実施の形態である電子機器ケースの押さえ部材を正面側から示す斜視図である。
【図６】本発明の一実施の形態である電子機器ケースの押さえ部材の一部を拡大して示す斜視図である。
【発明を実施するための形態】
【００１５】
以下、本発明の例示的な実施形態について、図面を参照しながら詳細に説明する。なお、本実施形態では、電子機器ケース１が取付けられるマストＭの延伸方向を鉛直方向と規定して説明する。また、図面においては、適宜３次元直交座標系としてＸＹＺ座標系を示す。
【００１６】
ＸＹＺ座標系において、Ｚ軸方向は、＋Ｚ側を上側とし、−Ｚ側を下側とする鉛直方向である。Ｘ軸方向は、Ｚ軸方向と直交する方向であって電子機器ケース１の左右方向である。本実施形態において、＋Ｘ側は、電子機器ケース１の右側であり、−Ｘ側は、電子機器ケース１の左側である。Ｙ軸方向は、Ｘ軸方向とＺ軸方向との両方と直交する方向であって、電子機器ケース１の前後方向である。本実施形態において、＋Ｙ側は、電子機器ケース１の前側であり、−Ｙ側は、電子機器ケース１の後側である。
【００１７】
なお、本実施形態では鉛直方向に延びるマストＭに電子機器ケース１を取り付けるが、マストＭの延伸方向は、本実施形態の鉛直方向には限らない。
【００１８】
＜１．電子機器ケースの全体構成＞
以下に図面を参照して本発明の実施形態を説明する。図１、図２は本実施形態の電子機器ケース１の正面側及び後面側を示す斜視図である。なお、図２において、マストＭは図示しない。
【００１９】
電子機器ケース１は、収納容器１０と、保持部２０と、固定金具３０と、を有する。本実施形態では、収納容器１０は、略直方体状の箱体であり、内部に電子機器（不図示）を収納する。電子機器として、例えば、高周波信号を処理する回路部材及び信号を入出力するＦ型コネクタが挙げられる。
【００２０】
保持部２０は、収納容器１０の後面側に固定される金属部材であり、固定金具３０を保持する。保持部２０は、収納容器１０に面して左右方向に延びる保持溝部２２が形成される。保持溝部２２には後述する連結棒部３１３が挿通される。保持部２０の後面部には前方に凹む保持凹部２１が形成され、保持凹部２１は、マストＭの外周面に沿って湾曲している。マストＭを保持凹部２１に接触させることにより、収納容器１０をマストＭに対して安定して固定できる。また、マストＭの収納容器１０に対する位置決めを容易にできる。
【００２１】
固定金具３０は、ボルト部材３１と、押さえ部材３２と、蝶ナット３３（ナット部材）と、を有する。電子機器ケース１は、固定金具３０を介してマストＭに固定される。
【００２２】
ボルト部材３１は、棒状の金属部材をコ字状に屈曲させて形成され、係止棒部３１１と、ネジ棒部３１２と、連結棒部３１３と、を有する。係止棒部３１１とネジ棒部３１２とは略平行に延びてＸ方向に並設され、係止棒部３１１とネジ棒部３１２との基端は、連結棒部３１３により連結される。
【００２３】
連結棒部３１３は、保持溝部２２に回転可能に保持されており、係止棒部３１１及びネジ棒部３１２が、連結棒部３１３を軸にして上下方向に回動可能である。これにより、マストＭに取付け前の電子機器ケース１は、係止棒部３１１及びネジ棒部３１２を下方に回動して収納容器１０側に接触させて畳むことができる。なお、係止棒部３１１及びネジ棒部３１２の回動範囲の上端は、ストッパ２３により規制される。
【００２４】
係止棒部３１１の外面には複数の突出部３１１ａが形成される。突出部３１１ａは、係止棒部３１１の延伸方向に複数配列している。突出部３１１ａは、係止棒部３１１の外面から外方に突出して環状に形成される。ネジ棒部３１２は、後方部に雄ネジ（不図示）が形成され、蝶ナット３３が螺合する。
【００２５】
押さえ部材３２は、Ｘ方向に垂直な断面形状をコ字状に形成され、前後方向に貫通する第１挿通孔３２５、第２挿通孔３２６、及び第３挿通孔３２７を有する。第１挿通孔３２５は、下端に開放端Ｐを有し（図３参照）、係止棒部３１１が挿通される。第２挿通孔３２６及び第３挿通孔３２７は、ネジ棒部３１２が挿通される。押さえ部材３２は、ネジ棒部３１２を軸にして回転する。
【００２６】
＜２．電子機器ケースの取付け手順＞
図３は、電子機器ケース１をマストＭに固定する手順を説明する説明図である。最初に、係止棒部３１１とネジ棒部３１２との間にマストＭを挿通させ、保持凹部２１（図２参照）にマストＭを接触させる。
【００２７】
次に、押さえ部材３２を第２挿通孔３２６及び第３挿通孔３２７に挿通したネジ棒部３１２に沿って前後方向に移動させ、押さえ部材３２をマストＭの直径に対応する位置に配置する。次に、押さえ部材３２をネジ棒部３１２を軸にして回転させ、開放端Ｐから第１挿通孔３２５を係止棒部３１１に押し込む。これにより、係止棒部３１１が第１挿通孔３２５に挿通される。このとき、第１挿通孔３２５の周縁は、突出部３１１ａ間に係止される（図６参照）。最後に蝶ナット３３を締め付けることにより、収納容器１０と押さえ部材３２との間にマストＭを挟持固定することができる。これにより、１つの蝶ナット３３を締め付けるだけで容易に電子機器ケース１をマストＭに固定でき。取付け時の作業効率を向上できる。
【００２８】
＜２．押さえ部材の構成＞
図４、図５は、押さえ部材３２を後面側及び正面側からそれぞれ見た斜視図である。図６は、押さえ部材３２の一部を拡大して示す斜視図である。押さえ部材３２は、金属製の平板を屈曲して形成され、上壁部３２１と、中壁部３２２と、下壁部３２３と、連結片３２４と、を有する。中壁部３２２は、左右方向の両端部に第１挿通孔３２５及び第２挿通孔３２６が、それぞれ配置される。上壁部３２１は、中壁部３２２の上端に連結される。下壁部３２３は、中壁部３２２の下端に連結される。上壁部３２１及び下壁部３２３は、平行に配置される。
【００２９】
上壁部３２１は、左右方向の中央部において前端部から後方に凹む上壁凹部３２８を有する。また、下壁部３２３は、左右方向の中央部において前端部から後方に凹む下壁凹部３２９を有する。上壁凹部３２８及び下壁凹部３２９は、マストＭの外周面に接触する。これにより、押さえ部材３２をマストＭに対して安定して固定できる。
【００３０】
連結片３２４は、中壁部３２２の右端部と前後方向に対向して平行に配置される。連結片３２４は、上壁部３２１の前端に連結される。連結片３２４は、第３挿通孔３２７が配置される。なお、連結片３２４を下壁部３２３の前端に連結してもよい。
【００３１】
第２挿通孔３２６及び第３挿通孔３２７の径は、ネジ棒部３１２の径よりもわずかに大きく形成される。これにより、押さえ部材３２は、ネジ棒部３１２を軸にして容易に回転できる。また、押さえ部材３２は、ネジ棒部３１２の延伸方向に容易に移動できる。一方、押さえ部材３２は、第１挿通孔３２５側の前後方向（係止棒部３１１の延伸方向）の動きに対して、第２挿通孔３２６の周縁及び第３挿通孔３２７の周縁の２箇所がネジ棒部３１２に接触する。これにより、押さえ部材３２の第１挿通孔３２５側が、前後方向にガタつくことを低減できる。したがって、第１挿通孔３２５に係止棒部３１１を挿通する際に、マストＭの直径に対応する位置に配された突出部３１１ａの間に第１挿通孔３２５を容易に配置できる。
【００３２】
第１挿通孔３２５は、中壁部３２２から下壁部３２３に跨って開口する切欠きにより形成される。第１挿通孔３２５は、中壁部３２２において傾斜部３２５ａ及び嵌合部３２５ｂを有する。傾斜部３２５ａは、第１挿通孔３２５の開放端Ｐ上で第２挿通孔３２６から遠い壁面に設けられる。傾斜部３２５ａは、上方に向かって開放端Ｐから離れるに従って第２挿通孔３２６側に傾斜する。嵌合部３２５ｂは、傾斜部３２５ａ上において、第２挿通孔３２６から離れる方向に凹み、係止棒部３１１が嵌合する。
【００３３】
開放端Ｐから第１挿通孔３２５内に係止棒部３１１を押し込む際に、傾斜部３２５ａに沿って係止棒部３１１が右側（第２挿通孔３２６に近づく方向）に撓み、押さえ部材３２は、左側に付勢される。従って、第１挿通孔３２５に係止棒部３１１を挿通する際に押さえ部材３２が、左右方向（係止棒部３１１とネジ棒部３１２との並設方向）にガタつくことを防止できる。
【００３４】
また、係止棒部３１１が、嵌合部３２５ｂに到達したときに撓みが解消され、係止棒部３１１が、嵌合部３２５ｂに嵌合して傾斜部３２５ａに係合する。これにより、押さえ部材３２が回動して第１挿通孔３２５から係止棒部３１１が外れることを防止できる。
【００３５】
従って、蝶ナット３３の締め付け作業時に、押さえ部材３２の第１挿通孔３２５の周縁は、突出部３１１ａにより前後方向の動きが規制されるとともに回動して外れることを防止できる。
【００３６】
本実施形態によると、押さえ部材３２の第１挿通孔３２５が、下端を開放され、第２挿通孔３２６及び第３挿通孔３２７が、対向配置される。このため、押さえ部材３２は、第２挿通孔３２６及び第３挿通孔３２７に挿通されたネジ棒部３１２を軸にして回転し、開放端Ｐから第１挿通孔３２５に係止棒部３１１を挿通して突出部３１１ａにより係止される。
【００３７】
これにより、一箇所のネジ棒部３１２に蝶ナット３３（ナット部材）を締め付けて収納容器１０と押さえ部材３２との間にマストＭを挟持固定することができる。また、押さえ部材３２の回転時に第２挿通孔３２６及び第３挿通孔３２７の２箇所が、ネジ棒部３１２に接触する。このため、第１挿通孔３２５側が、係止棒部３１１の延伸方向にガタつくことを低減できる。従って、電子機器ケース１の取付け時の作業効率を向上することができる。
【００３８】
なお、第１挿通孔３２５の開放端Ｐが押さえ部材３２の下端に設けられるが、上端に設けてもよい。即ち、第１挿通孔３２５は係止棒部３１１及びネジ棒部３１２の並設方向（Ｘ方向）に交差する方向の一端に開放端Ｐを有していればよい。
【００３９】
また、第１挿通孔３２５は、開放端Ｐから離れるに従って第２挿通孔３２６側に傾斜する傾斜部３２５ａを有する。これにより、開放端Ｐから第１挿通孔３２５内に係止棒部３１１を押し込む際に、傾斜部３２５ａに沿って係止棒部３１１が右側（第２挿通孔３２６に近づく方向）に撓み、押さえ部材３２を左側に付勢する。従って、第１挿通孔３２５に係止棒部３１１が挿通した状態で押さえ部材３２が、左右方向（係止棒部３１１とネジ棒部３１２との並設方向）にガタつくことを防止できる。
【００４０】
また、第１挿通孔３２５は、傾斜部３２５ａ上において、第２挿通孔３２６から離れる方向に凹み、係止棒部３１１が嵌合する嵌合部３２５ｂを有する。これにより、係止棒部３１１が、嵌合部３２５ｂに到達したときに撓みが解消され、係止棒部３１１が嵌合部３２５ｂに嵌合して傾斜部３２５ａに係合する。これにより、押さえ部材３２が回動して第１挿通孔３２５から係止棒部３１１が外れることを防止できる。
【００４１】
また、押さえ部材３２が、Ｘ方向に直交する断面形状においてコ字状に形成され、第１挿通孔３２５及び第２挿通孔３２６が配置される中壁部３２２と、中壁部３２２の上端に連結される上壁部３２１と、中壁部３２２の下端に連結される下壁部３２３と、を有する。連結片３２４は、上壁部３２１の端縁に連結される。これにより、第２挿通孔３２６と第３挿通孔３２７とを一定距離離して配置することができ、押さえ部材３２の第１挿通孔３２５側が、前後方向（係止棒部３１１の延伸方向）にガタつくことをより低減できる。なお、本実施形態では、連結片３２４は、上壁部３２１の端縁に連結されるが、下壁部３２３の端縁に連結してもよい。
【００４２】
また、上壁部３２１の収納容器１０側の端縁から中壁部３２２側に凹む上壁凹部３２８を有する。上壁凹部３２８は、マストＭの外周面に接触する。これにより、押さえ部材３２をマストＭに対して安定して固定できる。
【００４３】
なお、本発明は上記実施形態に限定されない。例えば、第２挿通孔３２６又は第３挿通孔３２７を下端に開放端を有する切り欠き孔としてもよい。
【符号の説明】
【００４４】
１      電子機器ケース
１０      収納容器
２０      保持部
２１      保持凹部
２２      保持溝部
３０      固定金具
３１      ボルト部材
３２      押さえ部材
３３      蝶ナット
３１１      係止棒部
３１１ａ    突出部
３１２      ネジ棒部
３１３      連結棒部
３２１      上壁部
３２２      中壁部
３２３      下壁部
３２４      連結片
３２５      第１挿通孔
３２５ａ    傾斜部
３２５ｂ    嵌合部
３２６      第２挿通孔
３２７      第３挿通孔
３２８      上壁凹部
３２９      下壁凹部
Ｍ      マスト
Ｐ      開放端
【図１】
0006960484.tif 000002
【図２】
0006960484.tif 000003
【図３】
0006960484.tif 000004
【図４】
0006960484.tif 000005
【図５】
0006960484.tif 000006
【図６】
0006960484.tif 000007